(57)【特許請求の範囲】
【請求項１】
複数の主施療袋が内蔵された椅子本体と、この椅子本体に設けられた座部の前方に回動可能に設けられ少なくとも略水平状態に位置決め可能に設けられた支持部材と、この支持部材に取り付けられるとともに案内面を有する連結部が形成された脚載せ台と、使用者の下肢を収容可能な一対の下肢セット溝及びこの一対の下肢セット溝内にセットされ前記下肢を施療する複数の脚用施療袋を有するとともに、前記案内面に案内される被案内面を有し前記脚載せ台の連結部に係合する係合部を有し、この係合部を前記連結部に係合させて前記脚載せ台に着脱可能に取り付けられ、前記座部の前方に配置された前記脚載せ台上の第１位置と前記脚載せ台から取り外され前記第１位置以外の第２位置とに選択的に配置される脚用マッサージ具と、前記主施療袋及び前記脚用施療袋に対して圧縮空気を給排気するエアー給排気装置とを具備した椅子式エアーマッサージ機。
【請求項２】
前記脚載せ台を前記座部との距離を調節できるように前記支持部材に移動可能に取り付けた請求項１に記載の椅子式エアーマッサージ機。
【請求項３】
前記脚用マッサージ具に形成された係合部を、脚用マッサージ具の前後方向中央部から前後方向いずれかの方向に偏位させた位置に形成するとともに、前記係合部が形成されている側の前記脚用マッサージ具の端縁を前記脚載せ台に当接させ、この端縁を回動支点として前記脚用マッサージ具を回動させて、前記係合部を前記連結部から離脱させるようにした請求項１または請求項２に記載の椅子式エアーマッサージ機。
【発明の詳細な説明】
【０００１】
【発明の属する技術分野】
本発明は、脚用マッサージ具を備える椅子式エアーマッサージ機に関する。
【０００２】
【従来の技術】
従来の椅子式エアーマッサージ機は、図１１に示されるように椅子本体１の座部２及び背凭れ３に施療袋４〜８を内蔵しているとともに、椅子本体１の前側にこの本体１から取外せないように脚用マッサージ具９が回動可能に取付けられている。この脚用マッサージ具９は、使用者の下肢を収容可能な一対の下肢セット溝１０を有しているとともに、これらの下肢セット溝１０の相対向する溝壁部の夫々に脚用施療袋１１を内蔵している。そして、ハンドル１２の操作に基づいて脚用マッサージ具９は、図１１に示すように座部２の前縁から下方に折れ曲がるように連なって下肢セット溝１０が上下方向に延びるように立てた縦置き姿勢と、図示しないが座部２の前縁から前方に突出するように連なって下肢セット溝１０が前後方向に延びるように横になった横置き姿勢とのいずれかを選択して配置されるようになっている。
【０００３】
この椅子式エアーマッサージ機は、通常、横置き姿勢にした脚用マッサージ具９の下肢セット溝１０に椅子本体１に座った使用者の下肢を通して使用される。その際には、座部２の下側等に配置された図示しないエアー給排気装置による圧縮空気の給排気に伴って、前記各施療袋４〜８及び１１のうち必要とする施療袋が膨張・収縮されて、エアーマッサージがなされる。また、このマッサージ機において脚用マッサージ具９を使用しない時には、この脚用マッサージ具９は、図１１に示される縦置き姿勢に配置される。
【０００４】
【発明が解決しようとする課題】
前記のように脚用マッサージ具９は下肢セット溝１０を作るために相対向する壁部を有している。そのため、椅子式エアーマッサージ機を通常の椅子として使用したり、椅子本体１の施療袋４〜８のみを用いてマッサージする場合などに、非使用状態の脚用マッサージ具９を縦置き姿勢にした状態では、前方に張り出すように突出する前記壁部が座部２の下側前方に位置される使用者の下肢に当って邪魔になり易いという問題がある。又、脚用マッサージ具９は既述のように椅子本体１にこれから取外せないように連結されているから、椅子本体１に座ることなく脚用マッサージ具９を取外して単独で使用することは不可能であり、必ず椅子本体１に座って使用しなければならないという制約がある。しかも、椅子本体１から取外すことができない脚用マッサージ具に対しては、エアー給排気装置も分離できないから、例えば、前記エアー給排気装置を共用してエアーマット等のアタッチメントを椅子本体と併用する等の使用態様を得ることができないという問題がある。
【０００５】
また、脚用マッサージ具９に設けた下肢セット溝１０と座部２の前部との距離は一定であることから脚用施療袋１１の距離も一定であり、したがって、使用者が座部２に座り下肢を下肢セット溝１０にセットしたときは、脚用施療袋１１は常に下肢の同じ位置と対応することになり、前記対応する位置以外の部分つまり膝部寄りあるいは足首寄りの部分のマッサージができないという問題がある。
【０００６】
したがって、本発明が解決しようとする第１の課題は、脚用マッサージ具を邪魔にならないように配置できるとともに、椅子本体に座ることに制約されずに脚用マッサージ具を使用できる椅子式エアーマッサージ機を得ることにある。
【０００９】
本発明が解決しようとする第２の課題は、脚用マッサージ具を邪魔にならないようにすることができるとともに、下肢施療袋を下肢の所望の位置に対応させるように脚用マッサージ具を配置できるようにした椅子式エアーマッサージ機を得ることにある。
【００１０】
本発明が解決しようとする第３の課題は、前記第２の課題を解決しつつ脚用マッサージ具の脚載せ台からの取外しを容易にできるエアーマッサージ機を得ることにある。
【００１９】
【課題を解決するための手段】
前記第１の課題を解決するため、請求項１の発明は、複数の主施療袋が内蔵された椅子本体と、この椅子本体に設けられた座部の前方に回動可能に設けられ少なくとも略水平状態に位置決め可能に設けられた支持部材と、この支持部材に取り付けられるとともに案内面を有する連結部が形成された脚載せ台と、使用者の下肢を収容可能な一対の下肢セット溝及びこの一対の下肢セット溝内にセットされ前記下肢を施療する複数の脚用施療袋を有するとともに、前記案内面に案内される被案内面を有し前記脚載せ台の連結部に係合する係合部を有し、この係合部を前記連結部に係合させて前記脚載せ台に着脱可能に取り付けられ、前記座部の前方に配置された前記脚載せ台上の第１位置と前記脚載せ台から取り外され前記第１位置以外の第２位置とに選択的に配置される脚用マッサージ具と、前記主施療袋及び前記脚用施療袋に対して圧縮空気を給排気するエアー給排気装置とを具備したものである。
【００２０】
この請求項１記載の発明においては、椅子本体に対して回動可能な支持部材に取り付けた脚載せ台に、脚用マッサージ具を着脱可能に取り付けたことから、通常の椅子として使用する場合など必要に応じて脚用マッサージ具を座部の前側第１位置から取外して椅子本体に座った使用者の下肢に当たることがない第２位置に配置できるという作用を有するものである。また、脚用マッサージ具の脚載せ台への取付は連結部の被係合部の案内面と係合部の被案内面とによって容易であるという作用を有するものである。
【００２１】
また、第２の課題を解決するために、請求項１に従属する請求項２の発明は、前記脚載せ台を前記座部との距離を調節できるように前記支持部材に移動可能に取り付けたことを特徴とするものである。
【００２２】
この請求項２の発明においては、請求項１の発明の作用に加えて、支持部材に移動可能に取り付けられた脚載せ台を介して脚用マッサージ具を、座部との距離を調節できるように移動させて、脚用施療袋を下肢の所望の位置に対応させることができるという作用を有するものである。
【００２３】
また、前記第３の課題を解決するために、請求項１または請求項２に従属する請求項３の発明は、前記脚用マッサージ具に形成された係合部を、脚用マッサージ具の前後方向中央部から前後方向いずれかの方向に偏位させた位置に形成するとともに、前記係合部が形成されている側の前記脚用マッサージ具の端縁を前記脚載せ台に当接させ、この端縁を回動支点として前記脚用マッサージ具を回動させて、前記係合部を前記連結部から離脱させるようにしたことを特徴とするものである。
【００２４】
この請求項３の発明は請求項１または請求項２に従属するので、前記請求項１または請求項２の発明の作用に加えて、脚載せ台に脚用マッサージ具の端縁を当接させ、この端縁を回動支点として回動させることにより、脚用マッサージ具の係合部を連結部から離脱できるから、脚用マッサージ具の脚載せ台からの取り外しが容易であるという作用を有するものである。
【００２５】
【発明の実施の形態】
以下、図１〜図５を参照して本発明の参考例を説明する。
【００２６】
各図中２１は椅子本体であって、これは、本体フレーム２２に取付けられた座部２３と、この座部２３の後側に連なるように配置された背凭れ２４とを備えている。背凭れ２４は、図示しないリクライニング機構を介して起倒可能に設けられているが、動かないように固定して設けてもよい。又、椅子本体２１は本体フレーム２２の左右両側に夫々取付けられ上縁部が肘掛けを兼ねる側板部２１ａを備えている。
【００２７】
座部２３には、その左右方向に延びて主施療袋としての腿用施療袋２５と尻用施療袋２６とが夫々内蔵されている。背凭れ２３にも複数の主施療袋が内蔵されている。図示の例では、背凭れ２３の幅方向中央部に上下方向に延びて配置される背筋用施療袋２７と、この両側に夫々位置して背凭れ２３の下部に配置される一対の腰用施療袋２８と、同じく背筋用施療袋２７の両側に夫々位置して背凭れ２３の上部側に配置される一対の肩用施療袋２９とが内蔵されている。
【００２８】
座部２３で上方を覆われるとともに左右両側を側板部２１ａで覆われた前記本体フレーム２２の内側には、図２に示されるようにエアー給排気装置３１が設置されている。この装置３１は、エアーコンプレッサー、このコンプレッサーから吐出される圧縮空気の脈動を吸収するサージタンク、このタンク内の圧縮空気を前記各施療袋２５〜２９等に同時又は順に分配して、これらの施療袋２５〜２９に対して可撓性のチューブ３０を介して個別に圧縮空気を給排気するロータリー式給排気弁等を備えているとともに、前記コンプレッサー及び給排気弁等の動作を制御する主コントローラを備えている。この装置３１による圧縮空気の給排気に従い各施療袋２５〜２９は指定された順序にしたがって膨張・収縮を繰り返すから、椅子本体２１に座った使用者の前記各施療袋２５〜２９に対応する位置の被施療部が圧迫・弛緩されて、被施療部がエアーマッサージされるようになっている。
【００２９】
本体フレーム２２の前部には脚載せ台３２が枢軸３３（図２参照）を介して回動可能に取付けられている。脚載せ台３２は、図１中２点線鎖線及び図３〜図５に示されるように座部２３の前縁から前方に連続し略水平な姿勢で突出する使用位置と、図１中実線及び図２に示されるように座部２３の前縁から下方に折れ曲がるように連続し略垂直な姿勢で両側板部２１ａ間に格納される非使用位置とにわたって回動されるとともに、その位置を夫々保持できるようになっている。この脚載せ台３２は一方の側板部２１ａの外面から突出された操作ハンドル３４を操作することにより回動される。
【００３０】
椅子本体２１の脚載せ台３２には図２〜図４に示される脚用マッサージ具４１が着脱可能に取付けられるようになっている。マッサージ具４１は、マッサージ具本体４２と、これに接続された可撓性の空気チューブ４３とを備えている。マッサージ具本体４２は、ベース部４４の上面に一対の側壁４５と中央壁４６とを設けるとともに、これら側壁４５と中央壁４６との間に上方及び前後が夫々開放された下肢セット溝４７を形成し、かつ、これら一対のセット溝４７に臨んだ各壁４５、４６の溝壁部に夫々脚用施療袋４８を取付けている。各施療袋４８は前記溝壁部に内蔵しても或いは外側に露出して設けてもよい。各施療袋４８は、前記ベース部４４内に配管された図示しないチューブを介して前記空気チューブ４３に夫々連通されていて、同時に膨張・収縮される。
【００３１】
空気チューブ４３はその先端部に接続口体４９を有している。この接続口体４９は前記椅子本体２２の例えば一方の側板部２１ａの外面に露出して配置された接続部５０に着脱可能に接続されている。接続部５０には前記エアー給排気装置３１から導かれた一本のエアー配管５１（図２参照）が接続されている。したがって、エアー給排気装置３１の動作に伴って、エアー配管５１、接続部５０、空気チューブ４３、及びベース部４４内の図示しないチューブを介して各脚用施療袋４８に圧縮空気が給排気される。前記空気チューブ４３は、接続部５０に接続された状態でマッサージ具本体４２を、第１位置すなわち図３に示されるように座部２３の前方に配置された脚載せ台３２上、又は、第２位置、すなわち、図２に示されるように座部２３の下方空間、或いは図４に示されるように椅子本体２１の周囲に配置するのに十分な長さを有している。
【００３２】
図４に示されるようにマッサージ具本体４２の底面には、前記脚載せ台３２への取付け手段として例えば２本の締結用ベルト５２が取付けられている。これらベルト５２はその先端部に平面ファスナ５３、５４を有している。マッサージ具本体４２を脚載せ台３２上に取付けるとき、ベルト５２は脚載せ台３２の裏面側に回されてその平面ファスナ５３、５４を互いに重ね合わせて結合することにより図３に示されるように脚載せ台３２上に取付け保持される。前記結合は平面ファスナ５３、５４を互いに引き剥がすことで行われ、それにより、脚載せ台３２上からマッサージ具本体４２を取外すことができる。したがって、これらベルト５２と脚載せ台３２とは、座部２３の前側に脚用マッサージ具４１のマッサージ具本体４２を配置するための取付け手段をなしている。
【００３３】
座部２３で上方を覆われるとともに左右両側を側板部２１ａで覆われた前記本体フレーム２２の内側には、前記エアー給排気装置３１の前側に設定される保管スペースＳ（図２参照）が確保されている。このスペースＳは脚用マッサージ具４１のうち少なくともマッサージ具本体４２を収容できる大きさである。保管スペースＳに対して脚用マッサージ具４１は、脚載せ台３２を前記使用位置に配置した状態で、椅子本体２１の前側から出し入れされる。
【００３４】
図２以外の各図において符号５６はエアー給排気装置３１に接続された電源コード、５７はリモートコントローラである。リモートコントローラ５７は図３及び図４に示す使用形態でも手元に置けるだけの長さのコントロールケーブル５７ａを介してエアー給排気装置３１に接続され、このコントローラ５７により使用者が所望とするマッサージモードが指定されるようになっている。
【００３５】
又、図５中５８は必要に応じて使用されるアタッチメントとしてのエアーマットであり、これは、使用者の身体を支える椅子本体２１の身体支持面（座部２３、背凭れ２４、及び脚載せ台３２の各表面）上に重ねて使用されるマット本体５９と、この本体５９に接続された可撓性の空気チューブ６０とから形成されている。空気チューブ６０はその先端に前記接続部５０に着脱可能な接続口体６１を有している。
【００３６】
前記椅子式エアーマッサージ機の標準的な使用形態（第１使用形態）は図３に示されている。この使用形態では、前記使用位置に配置された脚載せ台３２上にベルト５２を介して脚用マッサージ具４１が取付けられるとともにその空気チューブ４３が椅子本体２１の接続部５０に接続された状態で、このマッサージ具４１の一対の下肢セット溝４７の夫々に椅子本体２１に座った使用者の下肢をセットした状態でリモートコントローラ５７によるマッサージモードの指定に従い、各施療袋２５〜２９及び４８の内の少なくとも一つが膨張・収縮されて、エアーマッサージが行われる。
【００３７】
図４は第２使用形態を示しており、この形態において脚用マッサージ具４１は、椅子本体２１が有した脚載せ台３２から取外され、その空気チューブ４３が椅子本体２１の接続部５０に接続された状態のままで椅子本体２１の近くの床面上に置いて使用される。つまり、床面上に座った若しくは仰臥した使用者は、自らの下肢を前記床面上に設置された脚用マッサージ具４１の下肢セット溝４７にセットした状態で、リモートコントローラ５７で下肢マッサージモードを指定することにより、下肢に対するエアーマッサージを受けることができる。
【００３８】
この場合、椅子本体２１に他の使用者が座ることができる。そのため、前記リモートコントローラ５７で椅子本体２１内の各施療袋２５〜２９の内の少なくとも一つを膨張・収縮させるとともに、前記脚用施療袋４８を膨張収縮させるマッサージモードを指定する場合には、同時に二人に対するエアーマッサージができる。なお、この場合、脚載せ台３２は前記非使用位置に配置してもよい。
【００３９】
以上のように図３に示す使用形態と図４に示す使用形態とを得るので、この椅子式エアーマッサージ機の使用形態を多様化でき、使い勝手を向上できる。
【００４０】
しかも、図５に示されるようにエアーマット５８を用意する場合には、これを脚用マッサージ具４１に代えて椅子本体２１に取付けて使用できるので、更に使用形態の多様化を図ることができる点で優れている。このエアーマット５８を使用する場合には、このマット５８に対する圧縮空気の給排気が繰り返されるマッサージモードのみが指定される。このモードでは図示しない前記主コントローラにより圧縮空気の給排気間隔が長く設定されて、ゆっくりとしたリズムで給排気が繰り返される。したがって、それに伴うエアーマット５８のゆっくりとした膨張・収縮に伴い、使用者の身体は柔らかく包まれたようになるので、リラックスさせることができる。もちろん、エアーマット５８を使用する場合に、これを椅子本体２１外に置いて使用することも可能であるから、その際にもエアーマット５８と椅子本体２１とを同時に二人で使用することが可能である。
【００４１】
又、前記椅子式エアーマッサージ機の非使用時、又は脚用マッサージ具４１の非使用時において、脚用マッサージ具４１は図２のように配置される。つまり、座部２３の下側に設けた保管スペースＳに脚用マッサージ具４１を収容して保管できる。そのため、前記マッサージ機を図１に示すように通常の椅子として使用する場合や、椅子本体２１の各施療袋２５〜２９だけを膨張・収縮させてエアーマッサージをする場合等に、使用者の下肢と脚用マッサージ具４１とが接触して、このマッサージ具４１が邪魔になることがない。したがって、脚用マッサージ具４１の保管場所に苦慮することがなくなり、このマッサージ機の使い勝手を向上できる。しかも、保管スペースＳの出し入れ口は脚載せ台３２で閉じられるから、体裁がよい。
【００４３】
なお、前記参考例において、例えば、脚用マッサージ具４１及びアタッチメント（エアーマット５８等）の空気チューブを省略する代りに、このチューブを椅子本体に設けて、その先端に設けた接続口体４９を、脚用マッサージ具４１及びアタッチメント（エアーマット５８等）に設けた接続部５０に着脱可能に接続するようにして実施することもできる。
【００４４】
つぎに、この発明の第１の実施の形態を図６ないし図１０を参照して説明する。なお、この第２の実施の形態が前記参考例と相違する構成は、脚載せ台１３０と脚用マッサージ具１４０との着脱に関する構成および脚載せ台１３０の椅子本体２１への取付けに関する構成であり、他の構成は同じであることから、参考例と同一構成部分には同一符号を用いることとし、各構成の詳細については説明を省略する。
【００４５】
図６に示すように、本体フレーム２２の前方上部には支持部材１００が、枢軸１０６を介して回動可能に取り付けられている。この支持部材１００は一対の支持軸１０１とこれら支持軸１０１の基部側を連結部材１０２によって連結固定されており、また、両支持軸１０１の基部側端部には軸孔を有する軸受部１０３が固着されている。
【００４６】
そして、前記軸受部１０３の軸孔に前記本体フレーム２２に設けた前記枢軸１０６を嵌合することにより、上述したように支持部材１００は本体フレーム２２に回動可能に取り付けられているものである。
【００４７】
また、この支持部材１００は、時計方向に最も回動させたときは図６に実線で示すように座部２３の前方に略水平状態に突出した使用位置に位置し、また、反時計方向に最も回動させたときは、同図に２点鎖線で示すように座部２３の前縁から下方に折れ曲がるように垂下し略垂直な非使用位置に位置するようになっている。
【００４８】
そして、この支持部材１００は、参考例の場合と同様に操作ハンドル３４を操作することにより、前記使用位置と非使用位置とにわたって回動されるとともにその位置を夫々保持できるようになっている。
【００４９】
つぎに、前記支持部材１００に移動可能に取り付けられる脚載せ台１３０について説明する。なお、以降の説明において脚載せ台１３０および脚用マッサージ具１４０の座部２３側に位置する側を後部または後部側と、この後部側と反対側を前部または前部側ということとする。
【００５０】
この脚載せ台１３０は、図７及び図８に示すように基板１３１とこの基板１３１に取り付けられる連結部としての連結部材１３５および摺動軸受１３９などから構成されている。
【００５１】
そして、前記基板１３１は、上面方からの投影が略長方形状に形成され、その周縁部には上方に向けて突出した周壁１３２が形成されている。この周壁１３２には図７において下方側に開口した連続溝１３３が形成されている。
【００５２】
また、前記基板１３１の長辺方向（以下左右方向という）の両端側にそれぞれ、前後方向中央部よりも後部側に偏位した位置に、前後方向に沿って上方に突出させるとともに上面を平坦面とした取付部１３４が形成されている。また、この取付部１３４の前後方向両端部には貫通孔１３４ａが設けられている。
【００５３】
つぎに、前記連結部材１３５は、図６ないし図９に示すように、断面円形状の結合部１３５ａ（図８、図９参照）、この結合部１３５ａの両側に直角に折り曲げて形成された脚部１３５ｂとからなるコ字状に形成されている。そして、前記脚部１３５ｂにはねじ孔１３５ｃが形成されており、このねじ孔１３５ｃを前記取付部１３４の貫通孔１３４ａに対応させ、ねじ１３６を貫通孔１３４ａに挿通しこのねじ１３６を前記ねじ孔１３５ｃに螺合することによって、連結部材１３５は前記取付部１３４に取り付けられるものである。
【００５４】
なお、断面円形状の前記係合部１３５ａの円弧面は案内面を形成しているものである。
【００５５】
また、前記脚部１３５ｂのうち前側（図７において左側）の脚部１３５ｂは、図７に示すように後述する脚用マッサージ具１４０の後端部つまり周壁１４２の下側の外周縁１４２ａが脚載せ台１３０に当接する部位つまり回動支点Ｐと前側の脚部１３５ｂの基部との長さを半径Ｒとした軌跡（図７に一点鎖線で示した曲線）とする円弧より僅かに小さい円弧に形成されている。
【００５６】
また、前記基板１３１の下面つまり裏面には前記摺動軸受１３９が一体的に取り付けられており、この摺動軸受１３９は図８に示すようにＵ字の第一の軸受部材１３９ａとこの第一の軸受部材１３９ａの内部に設けられた第二の軸受部材１３９ｂとから構成され、両軸受部材１３９ａ、１３９ｂによって前記支持部材１００の支持軸１０１が摺動自在に挿入されている。このことによって、脚載せ台１３０は支持部材１００に座部２３の前方に前後方向に移動可能となっており、座部２３との距離を調節できるようになっているものである。
【００５７】
なお、脚載せ台１３０を、摺動軸受１３９に支持軸１０１を挿通して取り付けた後は、支持軸１０１の先端部に取り付けられた図示しない抜止部材によって抜け止めされるとともに、前後方向に摺動させて移動し任意の位置に位置決めされるようになっている。
【００５８】
また、前記基板１３１の上面部には例えばウレタンフォームなどからなるクッション部材１３７が配置され、このクッション部材１３７を覆ってカバー１３８が設けられている。このカバー１３８の外周縁部は前記周壁１３２に設けた連続溝１３３に折り込まれるとともに、その外周縁部は弾性紐１３８ａによって弾性的に絞り込まれて取り付けられている。
【００５９】
また、脚載せ台１３０は、前記クッション部材１３７が設けられていることから、後述する脚用マッサージ具１４０を取り外した状態で、椅子本体２１に座った際に使用者は脚載せ台１３０に下肢を気持よく載せておくことができるものである。
【００６０】
つぎに、脚用マッサージ具１４０について説明する。
【００６１】
この脚用マッサージ具１４０は、図７に示すように参考例で説明したベース部４４を形成する長方形状の底板１４１、この底板１４１の周縁部に形成した周壁１４２にねじ１４３によって取り付けられ、長辺方向（以下左右方向という）両側に設けられた両側壁４５、この両側壁４５の間に設けられた中央壁４６を形成する壁枠部材１４８（図７では一方の側壁４５を形成する壁枠部材のみを示してある）等から構成されている。また、前記底板１４１の周縁部に形成された周壁１４２の下側の外周縁１４２ａは脚載せ台１３０の上面つまり周壁１３２の上面にカバー１３８を介して当接している。
【００６２】
そして、前記底板１４１の左右方向両端側には、前後方向中央部よりも後部側に偏位した位置に、前後方向に沿って上方に膨出させた膨出部１４４が形成されている。この膨出部１４４の内部は下端側を開口した凹部１４５となっており、この凹部１４５の前後方向の長さ寸法は前記脚載せ台１３０に設けた連結部材１３５の両脚部１３５ｂの基部の前後方向に嵌合する寸法に設定されている。
【００６３】
そして、前記凹部１４５が連結部材１３５の両脚部１３５ｂに嵌合することによって脚用マッサージ具１４０は脚載せ台１３０の前後方向の移動が規制されるようになっている。
【００６４】
また、前側の脚部１３５ｂは前記半径Ｒとした円弧より僅かに小さい円弧に形成されているため、脚用マッサージ具１４０の後端つまり周壁１４２の下側の外周縁１４２ａを前記脚載せ台１３０つまり周壁１３２に当接させ、この当接部を回動支点Ｐとして図７において、時計方向に回動させた際には前記凹部１４５の前側の壁面は前記前側の脚部１３５ｂに干渉することがないようになっている。また、前記膨出部１４４の上面には貫通孔１４４ａが形成されている。
【００６５】
つぎに、前記脚用マッサージ具１４０の底板１４１の膨出部１４４に取り付けられる係合部としての係合部材１５０について説明する。
【００６６】
この係合部材１５０は図７ないし図９に示すように、略正方形に形成された基板１５１、この基板１５１の上面に設けた嵌合軸１５２および前記基板１５１の下面から下方に向けて突出し下方側を開口したパイプ状に形成され弾性変形をする一対の係合片１５５とから構成されている。
【００６７】
そして、前記嵌合軸１５２は、膨出部１４４に設けた貫通孔１４４ａに嵌合する寸法に形成されており、また、その周面には前記基板１５１との間に前記底板１４１に形成した膨出部１４４の肉厚の寸法の間隙Ｇを形成して一対の係合突起１５３が設けられている。この係合突起１５３は弾性変形するものであり、通常つまり自由状態では、前記膨出部１４４に設けた貫通孔１４４ａを通過できないように設定されている。
【００６８】
また、前記一対の係合片１５５の互いに対向するそれぞれの面は、前記連結部材１３５の結合部１３５ａに嵌合挟持する円弧面に形成されているとともに、その先端側には前記開口によって前記結合部１３５ａを通過させる通路１５６が形成されている。また、前記一対の係合片１５５の先端部には外方に拡開した被案内面１５７が形成されている。また、前記通路１５６の開口幅寸法Ｌは図９に示すように、前記結合部１３５ａの直径Ｒ１よりも小さい寸法に設定されている。
【００６９】
そして、係合部材１５０を前記連結部材１３５に取り付ける場合、つまり両係合片１５５を前記結合部１３５ａに係合させる場合は、前記両係合片１５５によって形成されている前記通路１５６を前記連結部材１３５の結合部１３５ａに対応させた後、この結合部１３５ａを通路１５６を通過させるように係合部材１５０を連結部材１３５側に押し付ける方向（図９の矢印で示す方向）に移動させる。すると結合部１３５ａの案内面である円周面によって、前記被案内面１５７は案内されることから、通路１５６は結合部１３５ａに対応するように案内され、さらに下方に押し付けられると前記両係合片１５５は結合部１３５ａによって外方に押し広げられつつ下方に移動する。そして、結合部１３５ａが通路１５６を通過すると、前記両係合片１５５が自己の弾性力によって元の状態に復元することから、両係合片１５５は前記円弧面によって結合部１３５ａを弾性的に挟持して結合部１３５ａに係合するものである。
【００７０】
そして、両係合片１５５が結合部１３５ａを挟持して係合した際は、両係合片１５５は自己の弾勢力によって抜け止めされて結合部１３５ａに取り付けられるものである。
【００７１】
このように、係合部材１５０の係合片１５５はその被案内面１５７を、前記結合部１３５ａの案内面である円周面によって案内されつつ通路１５６は結合部１３５ａに対応するとともに、両係合片１５５は結合部１３５ａによって外方に押し広げられ、通路１５６が結合部１３５ａを乗り越えて通過すると、自己の弾性力によって結合部１３５ａに係合することから、係合部材１５０の連結部材１３５への取付は容易にできるものである。また、取り外す場合も係合部材１５０を上方に移動させる際には前記円弧面が結合部１３５ａの円周面つまり案内面によって両係合片１５５は外方に押し広げられることになることから滑らかに移動するため、両係合片１５５の弾性力以上の力で上方に移動させることによって取外すことができるものである。
【００７２】
そして、前記係合部材１５０の脚用マッサージ具１４０つまり底板１４１への取付は、係合部材１５０の嵌合軸１５２を膨出部１４４に設けた貫通孔１４４ａに、係合突起１５３の下端部が貫通孔１４４ａを通過つまり貫通孔１４４ａの孔縁部を乗り越えるまで挿入することによってなされるものである。そして、この状態では図７、図８に示すように嵌合軸１５２は貫通孔１４４ａに嵌合するとともに、基板１５１の上面は膨出部１４４の下側の面に当接し、また、係合突起１５３の先端部は前記貫通孔１４４ａの孔縁部つまり膨出部１４４の上面に係合することから、係合部材１５０は底板１４１に抜け止めされて確実に取り付けられるものである。
【００７３】
また、上記脚載せ台１３０および脚用マッサージ具１４０の椅子本体２１への取付はつぎのようにしてなされる。
【００７４】
まず、支持部材１００を枢軸１０６を介して本体フレーム２２に取り付ける。ついで、支持部材１００の一対の支持軸１０１を脚載せ台１３０に設けた摺動軸受１３９に挿通する。挿通した後支持軸１０１の先端部に図示しない抜止部材を取り付ける。この状態では脚載せ台１３０は支持軸１０１に抜け止めされつつ軸方向つまり座部２３の前後方向に移動可能となっているものである。
【００７５】
つぎに、係合部材１５０が取り付けられた脚用マッサージ具１４０を、膨出部１４４の内側の凹部１４５を、脚載せ台１３０の連結部材１３５に対応させて脚載せ台１３０側に向けて押し付けるように移動させる。この移動によって、係合部材１５０は連結部材１３５に係合する。つまり、係合部材１５０の両係合片１５５は連結部材１３５の結合部１３５ａに係合し、このことによって脚用マッサージ具１４０は脚載せ台１３０に取り付けられる。
【００７６】
そして、前記脚用マッサージ具１４０を脚載せ台１３０に取り付ける際には、上述したように連結部材１３５の結合部１３５ａの案内面である円周面によって係合部材１５０の両係合片１５５の被案内面１５７が案内されることから、単に脚用マッサージ具１４０を脚載せ台１３０に向けて押し付けるという簡単な操作によって取り付けることができるものである。
【００７７】
また、脚載せ台１３０に取り付けられた脚用マッサージ具１４０は、脚載せ台１３０が支持部材１００に対して座部２３の前側で前後方向に移動可能となっていることから、脚載せ台１３０とともに座部２３の前側で前後方向に移動可能となっている。したがって、使用者は座部に座って下肢セット溝４７に下肢を収容した際に、脚用施療袋４８が下肢の所望の位置に対応していないときは、脚用マッサージ具１４０を前後方向に移動させることにより、前記所望の位置に対応させる、つまり調節することができるものである。
【００７８】
つぎに、脚用マッサージ具１４０を脚載せ台１３０から取り外す場合について説明する。この取り外しは、上記した取り付ける場合と逆に、脚用マッサージ具１４０を脚載せ台１３０から引き離す方向に移動させる操作つまり引離操作によって、連結部材１３５に係合している係合部材１５０の係合を外すことによってもなされるものであるが、この引離操作による取り外しよりもさらに容易に取り外すことができる操作を説明する。
【００７９】
上述したように、脚載せ台１３０の左右方向両端側に取り付けられた連結部材１３５は、脚載せ台１３０つまり基板１３１の前後方向中央部よりも後部側に偏位した位置に設けられており、また、脚用マッサージ具１４０の取り付けられた係合部材１５０は、脚用マッサージ具１４０の前後方向中央部よりも後部側に取り付けられており、さらに、脚用マッサージ具１４０の後端側つまり周壁１４２の下側の外周縁１４２ａは脚載せ台１３０の上面に当接していることから、図１０に示すように、脚用マッサージ具１４０を、その前側部分に手を掛けて脚用マッサージ具１４０の脚載せ台１３０の上面に当接している外周縁１４２ａを回動支点Ｐとして時計方向（図１０の矢印方向）に回動させることによって、連結部材１３５に係合している係合部材１５０の係合を容易に外すことができるものである。
【００８０】
つまり、脚用マッサージ具１４０の前側に手を掛けて、後端部を回動支点として回動させると梃子作用によって、前記前側部に手によって加えられる力よりも大きな力が係合部材１５０を連結部材１３５から外す力として作用することから容易に取り外すことができるものである。
【００８１】
そして、この第１の実施の形態における椅子式エアーマッサージ機においても、上記参考例の場合と同様、リモートコントローラ５７により使用者は所望のマッサージモードを指定してマッサージをすることができるものであり、また、脚用マッサージ具１４０は椅子本体２１つまり脚載せ台１３０に対して着脱可能に形成されていることから、参考例における第１使用形態、第２使用形態などと同様な使用形態で使用できるものである。
【００８２】
また、脚用マッサージ具１４０の不使用時は、参考例と同様座部２３の下方に設けた保管スペースＳに保管できるものである。
【００８５】
また、上記第１の実施の形態においては、脚用マッサージ具１４０に設ける係合部材１５５の位置を、脚用マッサージ具１４０の前後方向中央部より後端側としたが、これは、前後方向中央部より前端側としてもよいものである。しかし、後端側とした場合は脚用マッサージ具１４０を回動する際に、支持部材１００を本体フレーム２２に取り付けている枢軸１０６に加わる力を軽減できることから枢軸１０６の損傷などを防止できるという利点がある。
【００８６】
【発明の効果】
本発明は、以上説明したような形態で実施され、以下に記載されるような効果を奏する。
【００９１】
請求項１に記載の発明によれば、椅子本体に回動可能な支持部材に取り付けた脚載せ台に、脚用マッサージ具を着脱可能に取り付けたことから、通常の椅子として使用する場合など必要に応じて脚用マッサージ具を座部の前側から取外すことができる。また、脚用マッサージ具の脚載せ台への取付は連結部の被係合部の案内面と係合部の被案内面とによって容易にできる。
【００９２】
請求項１の発明に従属する請求項２に記載の発明によれば、請求項１の発明の効果に加えて、支持部材に移動可能に取り付けられた脚載せ台に脚用マッサージ具を着脱可能に取り付けたことから、脚用施療袋を下肢の所望の位置に対応させることができる。
【００９３】
請求項１又は請求項２の発明に従属する請求項３に記載の発明によれば、請求項１又は請求項２の発明の効果に加えて、脚用マッサージ具の脚載せ台からの取り外しが容易にできる。
【図面の簡単な説明】
【図１】  本発明の参考例に係る椅子式エアーマッサージ機の構成を示す斜視図。
【図２】図１に示された椅子式エアーマッサージ機の構成を一部切欠いて示す側面図。
【図３】図１に示された椅子式エアーマッサージ機の第１使用形態を示す斜視図。
【図４】図１に示された椅子式エアーマッサージ機の第２使用形態を示す斜視図。
【図５】図１に示された椅子式エアーマッサージ機の第３使用形態を示す斜視図。
【図６】  本発明の第１の実施の形態に係る椅子式エアーマッサージ機の構成を示す分解斜視図。
【図７】図６に示された椅子式エアーマッサージ機の脚用マッサージ具を脚載せ台に取り付けた状態を示す部分断面図（図６のＸ−Ｘ線での断面図）。
【図８】図６に示された椅子式エアーマッサージ機の脚用マッサージ具脚載せ台に取り付けた状態を示す部分断面図（図７のＹ−Ｙ線での断面図）。
【図９】上記椅子式エアーマッサージ機の連結部と係合部の関係を示す図。
【図１０】上記椅子式エアーマッサージ機の脚用マッサージ具の取り外し動作を示す図。
【図１１】従来例に係る椅子式エアーマッサージ機の構成を示す斜視図。
【符号の説明】
２１            椅子本体
２３            座部
２５            腿用施療袋（主施療袋）
２６            尻用施療袋（主施療袋）
２７            背筋用施療袋（主施療袋）
２８            腰用施療袋（主施療袋）
２９            肩用施療袋（主施療袋）
３１            エアー給排気装置
３２            脚載せ台
１４０    脚用マッサージ具
４２            マッサージ具本体
４３            空気チューブ
４７            下肢セット溝
４８            脚用施療袋
４９            接続口体
５０            接続部
１００          支持部材
１３０          脚載せ台
１３５          連結部材（連結部）
１３５ａ        係合部（案内面）
１４０          脚用マッサージ具
１４２ａ        脚用マッサージ具の外周縁
１５０          係合部材（係合部）
１５７          被案内面
【図１】
0003655094.tif 000002
【図２】
0003655094.tif 000003
【図３】
0003655094.tif 000004
【図４】
0003655094.tif 000005
【図５】
0003655094.tif 000006
【図６】
0003655094.tif 000007
【図７】
0003655094.tif 000008
【図８】
0003655094.tif 000009
【図９】
0003655094.tif 000010
【図１０】
0003655094.tif 000011
【図１１】
0003655094.tif 000012